(57)【特許請求の範囲】
【請求項１】
海水中で酸素を発生させて海水に接する構造物への海生物の着生を抑制する海生物の付着防止装置において、
陽極形成部材とこの陽極形成部材に被覆される電気化学的に活性な電気的触媒とからなり、前記電気的触媒が海水側に向くように設置される陽極部材導電体と、
海水に接触するように設置される陰極側導電体と、
自動電位制御部を内蔵し、正極が前記陽極部材導電体に接続され、負極が前記陰極側導電体に接続される外部直流電源とを備え、
この外部直流電源は正極と負極との間の電位が海水中で塩素の発生を抑制しつつ酸素を発生させる電位値に設定され、
水路内または水槽内に設置される前記陽極部材導電体および前記陰極側導電体のうちの少なくとも１種の導電体は水路または水槽に対して上部より挿入・取出しが可能な可動部を有し、
前記水路または水槽に対して上部より挿入・取出しされる前記可動部を導くためのガイドを備えることを特徴とする海生物の付着防止装置。
【請求項２】
前記陰極側導電体は前記陽極部材導電体と絶縁材を介して一体構造に形成され、上記一体構造は前記水路または水槽に対して上部より挿入・取出しが可能な可動部を有する請求項１に記載の海生物の付着防止装置。
【請求項３】
前記可動部は、ゴムシート状あるいはロールカーテン状の柔軟な可撓性形状を有する請求項１または２に記載の海生物の付着防止装置。
【請求項４】
前記可動部は、格子状の変形可能構造を有する請求項１または２に記載の海生物の付着防止装置。
【請求項５】
前記可動部は下部に錘を備えたり、または前記可動部の導電体の自重が錘の役目を果す請求項１〜４のいずれかに記載の海生物の付着防止装置。
【請求項６】
前記ガイドは、前記可動部を水路または水槽の底面部に滑らかに導くためのスロープを有するスロープ付ガイドである請求項１に記載の海生物の付着防止装置。
【請求項７】
前記可動部を水路または水槽の壁面に引き寄せるために可動部の壁面側を負圧にする負圧システムを備える請求項１または２に記載の海生物の付着防止装置。
【請求項８】
前記可動部を巻き取りまたは引き出して水路または水槽から回収する回収装置を備える請求項１〜７のいずれかに記載の海生物の付着防止装置。
【請求項９】
前記回収装置は、回収した可動部を洗浄する洗浄システムを有する請求項８に記載の海生物の付着防止装置。
【請求項１０】
前記回収装置で回収された可動部は、カートリッジタイプとして着脱可能な構造を有する請求項８または９に記載の海生物の付着防止装置。
【請求項１１】
前記回収装置は、着脱可能であり、他の箇所に設置されている前記海生物の付着防止装置の可動部を回収する回収装置として共用される構造を有する請求項８〜１０のいずれかに記載の海生物の付着防止装置。
【請求項１２】
水中監視カメラを水路または水槽内に備える請求項１〜１１のいずれかに記載の海生物の付着防止装置。
【請求項１３】
陽極部材導電体に流れる電流を監視する電流監視装置と、この電流監視装置からの監視結果に基づき陽極部材導電体の耐用状態を判定する判定装置を備える請求項１または２に記載の海生物の付着防止装置。
【請求項１４】
前記判定装置は前記電流監視装置で監視された積算電流値に基づいて陽極部材導電体の耐用状態を判定する請求項１３に記載の海生物の付着防止装置。
【請求項１５】
海水中で酸素を発生させて海水に接する構造物への海生物の着生を抑制する海生物の付着防止装置を運用する方法において、
水路または水槽に対して上部より挿入・取出しが可能な可動部を有する陽極部材導電体および陰極側導電体のうちの少なくとも１種の導電体を可動式導電体とし、この可動式導電体を水路内または水槽内に上部よりガイドで導いて挿入し、
挿入された可動式導電体と、これとは異なる極の導電体との間に電流を流すことにより、前記陽極部材導電体の有する電気化学的に活性な電気的触媒を介して、海水中に塩素の発生を抑制しつつ酸素を発生させて、海生物の構造物への付着を抑制し、
その後、前記可動式導電体を水路または水槽内からガイドで導いて上部より取出し、回収することを特徴とする海生物の付着防止装置の運用方法。
【請求項１６】
回収した前記可動式導電体をジェット洗浄、またはブラシで洗浄する請求項１５に記載の海生物の付着防止装置の運用方法。
【請求項１７】
回収した前記可動式導電体を取り外したり、あるいは取り外した後、取り外された可動部を新たな可動部と交換する請求項１５に記載の海生物の付着防止装置の運用方法。
【請求項１８】
前記酸素を発生させる際に、前記陽極部材導電体に流れる電流を監視し、その監視結果に基づいて前記陽極部材導電体の耐用状態を判定する請求項１５に記載の海生物の付着防止装置の運用方法。
【請求項１９】
請求項１１の海生物の付着防止装置を運用する方法において、この海生物の付着防止装置が水路または水槽内に複数個設けられ、各海生物の付着防止装置の回収装置が単独に取り外され、各海生物の付着防止装置の可動部を回収することを特徴とする海生物の付着防止装置の運用方法。
【請求項２０】
請求項１〜１４のいずれかに記載の海生物の付着防止装置を運用する方法において、この海生物の付着防止装置を水路または水槽内に複数個並列に設けて使用することを特徴とする海生物の付着防止装置の運用方法。
【発明の詳細な説明】
【０００１】
【発明の属する技術分野】
本発明は、海水を取扱う取水路や排水路の水路および水槽のような構造物表面への海生物の付着を防止する海生物の付着防止装置およびこれを運用する方法に関する。
【０００２】
【従来の技術】
従来、原子力発電プラントや火力発電プラント、コンバインドサイクル発電プラント、化学プラント等の各種プラントにおいて海水を取扱う取水路や排水路の水路または水槽では、イガイ、フジツボ、ヒドロ虫、海藻類等の海生物が表面に付着し、海水取水量への影響や、プラント系統内への海生物の流入の問題を引き起こしている。
【０００３】
海生物の付着を防ぐため、水路表面に防汚塗装を施している場合もあるが、実際には防汚塗装の剥がれや経年劣化による性能低下により徐々に水路壁面へ海生物が付着していき、水路が狭まり海水の圧力損失が増加して海水取水量が経年的に低下する事象が発生している。
【０００４】
これら海生物の回路壁面からの除去作業や水路表面への防汚塗料の再塗装は、プラントの運転を停止した際の限られた点検期間内で行う必要があるが、作業工程も多く、また塗装の乾燥時間も必要となる。
【０００５】
さらに、水路や水槽内は作業エリアが狭く、かつ海生物の死滅による異臭が強く作業環境が劣悪なことから、この水路・水槽内の点検・清掃作業は時間および環境も含め、厳しい作業となっている。近年、プラント点検期間が年々短縮されていることから、この水路および水槽の清掃・点検の工程がプラントの点検期間自体にも影響を及ぼすこととなる。
【０００６】
また、場合によっては、海生物の構造物（水路、水槽壁面）への付着防止対策として、海水中に塩素を注入したり、毒性イオンを生成する顔料を含有する防汚塗料を使用したり、海水の電解による塩素や銅などの毒性イオンの生成等が実施されている。これらは有効な防汚効果を発揮するが、環境汚染の原因となる可能性もあることから、昨今では使用を抑制する方向にある。
【０００７】
これに代わって、最近ではシリコーン系防汚塗料が使用されているが、コストが高いことと、塗布に当っては何層にも下塗りや中塗りを行うため、塗装に時間がかかり、広範囲な場所への適用には不向きである。また、シリコーン系防汚塗料が塗布された水路の水槽の壁面に異物等が接触すると塗膜が剥離しやすくなり、水路や水槽内のように海生物や異物が流入する可能性のある場所では防汚効果も低減するが、このような塗料で対応しているのが現状である。
【０００８】
さらに、海からの取水の場合、取水口付近やその取水路では、建設初期でない限り、海水を排水することが不可能な箇所が多い。従来は、このような場所への海生物付着は当然とみなされ、その分の水路の圧力損失増加を考慮して取水ポンプおよび取水システムの設計が行われていた。
【０００９】
特開２０００−１１９８８４号公報には、海水に接する構造物の防汚装置が記載されている。この防汚装置は、海水に接する構造物の海水側表面に絶縁性接着剤を介して設けられた陽極形成部材と、陽極形成部材に被覆された電気化学的に活性で安定な電気的触媒と、海水に接触するように設置された導電体と、正極が陽極形成部材または電気的触媒に接続され、負極が導電体に接続され、自動電位制御部を内蔵する外部直流電源とを備え、外部直流電源は正極と負極との間の電位が海水中で塩素の発生を抑制しつつ酸素を発生させる値に設定された構造物の防汚装置である。
【００１０】
この防汚装置は海水中で酸素を発生させることにより海生物の付着を防止する装置である。これは原理的には水路・水槽においても採用可能であり、海生物の付着防止効果により点検・清掃作業は軽減されると考えられるが、水路・水槽の防汚装置としての実用化には未だ十分とは言えない。
【００１１】
また、特開２００１−１１５４２７号公報には、防汚性能の状態を把握することができる海水接触構造物の防汚装置およびその性能劣化監視方法が記載されている。この防汚装置およびその性能劣化監視方法は、海水中で酸素を発生させることにより海生物の付着を防止するものである。
【００１２】
【発明が解決しようとする課題】
特開２０００−１１９８８４号公報に記載の海水に接する構造物の防汚装置を水路・水槽内に設置する場合、以下のような問題点が生じる。
【００１３】
まず第１に、この防汚装置では、水路や水槽表面に対し、接着剤にて防汚装置の陽極形成部材を設置する必要がある。この防汚装置を設けるために、水路および水槽内の水抜きが必要になり大掛かりな準備を伴う。また、海と連結する水路等のように、構造的に水抜きが出来ない箇所への防汚装置の設置は水路等の建設時を除き、不可能である。また水路等の建設時に防汚装置を設置した場合は、その後水抜きができないことから、防汚装置のメンテナンスができない。
【００１４】
第２に、水路や水槽は表面積が大きいため、防汚装置を水路および水槽内の全表面に接着剤で設置することになると、工期がかかり限定された点検期間内での対応が難しくなる。
【００１５】
第３に、防汚装置の設置箇所は水没するところであるから、仮に防汚装置の故障や異常が発生し、防汚装置を回収し確認したい場合は、水路・水槽内の全ての水を抜く必要がある。しかしながら、この水抜き作業は大掛かりでありこの防汚装置のためだけの水抜きは行えないことから、プラントの点検期間の水抜き時期に合わせて確認することとなる。そのため、プラント点検期間までは対応できず、防汚装置の信頼性の面で問題となる。
【００１６】
第４に、保守・点検については、プラントの点検期間が限定されていることから、広範囲な水路および水槽内に設置された全ての防汚装置の保守・点検作業を点検期間内に終了させることは困難である。
【００１７】
また、特開２００１−１１５４２７号公報に記載された防汚装置およびその性能劣化監視方法においても、絶縁材を介して接着剤にて陽極側導電体を構造物に据付ける防汚装置である。そのため、防汚装置は、設置箇所の水抜き後に据付けられることが前提となり、常時水没している箇所に対しての防汚装置の据付けは不可能である。このため、前記特開２０００−１１９８８４号公報に示された防汚装置と同様な問題を抱えている。
【００１８】
本発明は、このような従来技術の問題点を考慮してなされたものであり、水路および水槽のような構造物表面への海生成物の付着を良好に防止することができるとともに、設置箇所の水抜きの可否に拘らず広範な構造物に取付・取出しが可能な海生物の付着防止装置およびその運用方法を提供することを目的としている。
【００１９】
また、本発明は、広範な構造物に対する海生物除去作業の軽減、点検期間の短縮および装置の信頼性の向上が図られる海生物の付着防止装置およびその運用方法を提供することを目的としている。
【００２０】
【課題を解決するための手段】
本発明に係る海生物の付着防止装置は、上述した課題を解決するために、請求項１に記載したように、海水中で酸素を発生させて海水に接する構造物への海生物の着生を抑制する海生物の付着防止装置において、陽極形成部材とこの陽極形成部材に被覆される電気化学的に活性な電気的触媒とからなる陽極部材導電体が海水に接する前記構造物の海水側前面に前記電気的触媒が海水側に向くように設置される前記陽極部材導電体と、海水に接触するように設置される陰極側導電体と、自動電位制御部を内蔵する外部直流電源の正極が前記陽極部材導電体の陽極形成部材または電気的触媒に接続され、負極が前記陰極側導電体に接続される前記外部直流電源とを備え、この外部直流電源は正極と負極との間の電位が海水中で塩素の発生を抑制しつつ酸素を発生させる値に設定され、しかも、水路内および水槽内に設置される前記陽極部材導電体および前記陰極側導電体のうちの少なくとも１種の導電体は水路および水槽に対して上部より挿入・取出しが可能な可動部を有し、前記水路または水槽に対して上部より挿入・取出しされる前記可動部を導くためのガイドを備えるものである。
【００２１】
また、上述した課題を解決するために、本発明に係る海生物の付着防止装置は、請求項２に記載したように、上記陰極側導電体は前記陽極部材導電体と絶縁材を介して一体構造をなし、この一体構造は前記水路および水槽に対して上部より挿入・取出しが可能な可動部を有したり、さらに、請求項３または４に記載したように、上記陽極部材導電体、上記陰極側導電体またはこれら導電体の一体構造が有する可動部は、１枚の鋼板のような形状ではなく、形状変形が可能なゴムシート状、ロールカーテン状または、格子状のような形状とすることが好ましい。
【００２２】
さらに、上述した課題を解決するために、本発明に係る海生物の付着防止装置は、請求項５に記載したように、上記可動部の下部に錘を備えたり、または上記可動部の導電体の自重が錘の役目を果すように構成されるものであり、また、請求項６に記載したように、前記ガイドは、前記可動部を水路および水槽の底面部に滑らかに導くためのスロープを有するスロープ付ガイドであり、さらに、請求項７に記載したように、上記可動部を水路および水槽の壁面に引き寄せるために壁面側を負圧にする負圧システムを備えるものである。
【００２３】
また、上述した課題を解決するために、本発明に係る海生物の付着防止装置は、請求項８に記載したように、上記可動部を巻き取りまたは引抜いて水路および水槽から回収する回収装置を備えるものである。さらに、請求項９に記載したように、回収装置は、回収した可動部を洗浄する洗浄システムを有するものが好ましく、請求項１０に記載したように、回収した可動部はカートリッジタイプとして着脱でき交換可能な構造であることが好ましい。
【００２４】
また、上述した課題を解決するために、本発明に係る海生物の付着防止装置は、請求項１１に記載したように、上記回収装置は、着脱可能であり、他の箇所に設置されている前記海生物の付着防止装置の可動部を回収する回収装置として共用される構造を有することが好ましい。
【００２５】
さらに、本発明に係る海生物の付着防止装置は、請求項１２に記載したように、水中監視カメラを備えるものであったり、また、請求項１３に記載したように、陽極部材導電体に流れる電流を監視する電流監視装置と、この電流監視装置からの監視結果に基づき陽極部材導電体の耐用状態を判定する判定装置を備えるものであり、さらに、請求項１４に記載したように、前記判定装置は前記電流監視装置で監視された積算電流値に基づいて陽極部材導電体の耐用状態を判定するものである。
【００２６】
本発明に係る海生物の付着防止装置の運用方法は、上述した課題を解決するために、請求項１５に記載したように、海水中で酸素を発生させて海水に接する構造物への海生物の着生を抑制する海生物の付着防止装置を運用する方法において、水路または水槽に対して上部より挿入・取出しが可能な可動部を有する陽極部材導電体および陰極側導電体のうちの少なくとも１種の導電体を可動式導電体とし、この可動式導電体を水路内または水槽内に上部よりガイドで導いて挿入し、挿入された可動式導電体と、これとは異なる極の導電体との間に電流を流すことにより、前記陽極部材導電体の有する電気化学的に活性な電気的触媒を介して、海水中に塩素の発生を抑制しつつ酸素を発生させて、海生物の構造物への付着を抑制し、その後、前記可動式導電体を水路または水槽内からガイドで導いて上部より取出し、回収する方法である。
【００２７】
上述した課題を解決するために、本発明に係る海生物の付着防止装置の運用方法は、請求項１６に記載したように、回収した上記可動式導電体をジェット洗浄する、またはブラシで洗浄するものであり、また、請求項１７に記載したように、回収した前記可動式導電体を取り外し、または、取り外された可動式導電体を取り付けて、あるいは新たな可動式導電体に交換して用いるものであり、さらに、請求項１８に記載したように、上記酸素を発生させる際に、前記陽極部材導電体に流れる電流を監視し、その監視結果に基づいて前記陽極部材導電体の耐用状態を判定するものである。
【００２８】
また、本発明に係る海生物の付着防止装置の運用方法は、上述した課題を解決するために、請求項１９に記載したように、回収装置を有する海生物の付着防止装置を運用する方法において、海生物の付着防止装置が水路内または水槽内に複数個設けられ、各海生物の付着防止装置の回収装置が単独に取り外され、各海生物の付着防止装置の可動部も回収される方法である。
【００２９】
さらに、本発明に係る海生物の付着防止装置の運用方法は請求項２０に記載したように、請求項１〜１４のいずれかに記載される海生物の付着防止装置を運用する方法において、この海生物の付着防止装置を水路内または水槽内に複数個並列に設けて使用することから構成されている。
【００３０】
本発明に係る海生物の付着防止装置および海生物の付着防止装置の運用方法によれば、上記陽極部材導電体または上記陰極側導電体は水路および水槽に対して上部よりガイドで導いて挿入・取出しが可能な可動部を有するので、設置箇所の水抜きの可否に係わらず広範な構造物に取付・取出しが可能となり、構造物への海生物の付着防止装置として適用範囲が拡大される。
【００３１】
また、前記可動部をゴムシート状、ロールカーテン状、格子状の形状とすることにより、回収・設置作業が容易となり、また回収後の収納スペースがコンパクトになる。このコンパクトな形状のまま、装置内で洗浄することにより、清掃作業の効率化、洗浄水の飛散防止も図れる。回収した形状にてカートリッジタイプにて着脱可能な形状とした場合、予備のカートリッジタイプの装置と交換することにより、早急に復旧が可能となる。また、可動部の回収装置を着脱することにより、複数個設置されている海生物の付着防止装置の可動部を回収する回収装置として共用することが可能となる。
【００３２】
さらに、本発明に係る海生物の付着防止装置の陽極部材導電体に流れる電流や積算電流値を監視する電流監視装置やこの測定変化に基づき陽極部材導電体の耐用状態を判定する判定装置を備えることで、陽極部材導電体の耐用状態（健全性および性能劣化等）を確実に把握でき、陽極部材導電体の性能劣化によるメンテナンス時期を判断する有効な手段となる。これらにより、海生物の付着および成長を未然に防止することが可能となる。前記電流監視装置や判定装置を備えることで、海水に漂う導電性異物が海水接触構造物に引っかかった場合に生じる海水と接触する銅製部材の異常腐食等を未然に防ぐことが可能となる。
【００３３】
また、本発明に係る海生物の付着防止装置に水中監視カメラを設置することにより、陽極部材導電体の酸素発生状況や、可動部の設置状態の確認を行うことで健全性の向上を図ることができる。また、海水漂う異物や藻類の付着の有無も監視することができ、陽極部材導電体での電流値および積算電流値の変化と合わせて、異常状態の原因の早期発見が可能となる。
【００３４】
【発明の実施の形態】
以下、本発明に係る海生物の付着防止装置の実施の形態について添付図面を参照して説明する。
【００３５】
本発明の海生物の付着防止装置およびその運用方法における海水に接する構造物としては、海水の流れる水路や、海水を溜める水槽、水室等その他海水が流入したり、あるいは海水と接触している構造物であり、本発明の目的が達成されるものであれば構造物の形状、材質等は制限されない。
【００３６】
図１は、本発明に係る海生物の付着防止装置の一例を示す概略図である。
【００３７】
図１を参照して、本発明に係る海生物の付着防止装置の第１実施形態について説明する。図１に示すように、海生物の付着防止装置１は、海水３０中で酸素を発生させて、海水３０に接する水路、水槽等の構造物３５への海生物の着生を抑制するためのものである。海生物の付着防止装置１は、陽極部材としての陽極部材導電体２と、海水３０に接する陰極部材としての陰極側導電体３と、自動電位制御部８ｄを備えた外部直流電源８とを有する。
【００３８】
外部直流電源８はその正極８ａを陽極部材導電体２に、その負極８ｂを陰極側導電体３にそれぞれ接続される。４は照合電極で、海水中に設けられており、外部直流電源８の照合極８ｃに接続される。
【００３９】
陽極部材導電体２は、図２に示すように、陽極形成部材５と、この陽極形成部材５の表面を覆う電気的触媒６からなる。電気的触媒６は電気化学的に活性で安定な触媒であり、例えば、陽極形成部材５上に予め触媒被覆処理によって被覆され、電気抵抗加熱等により３５０〜４５０℃で数時間加熱処理を行って熱活性化処理されたものである。電気的触媒６としては、例えば、白金系金属、白金系金属酸化物、およびコバルトまたはマンガンの酸化物のうちから選ばれる単一体、混晶体または複合体を用いることができる。
【００４０】
陽極部材導電体２は、電気的触媒６の被覆層が海水３０側に、陽極形成部材５の層が構造物（水路または水槽）３５の壁面側になるように、海水３０に接する構造物（水路または水槽）３５の海水３０接触側前面に設置される。また、陽極部材導電体２は、例えば、図１に示すように、複数の陽極部材導電体要素２ａ、２ｂから構成され得る。
【００４１】
図１では、陽極部材導電体２の陽極形成部材５に外部直流電源８の正極８ａが接続されているが、これに代えて、電気的触媒６に外部直流電源８の正極８ａが接続されてもよい。なお、陽極部材導電体２は複数の陽極部材導電体要素２ａ、２ｂからなっているので、各陽極部材導電体要素２ａ、２ｂごとに対応する正極８ａが設けられている。
【００４２】
外部直流電源８は、自動電位制御部８ｄを備えており、陽極部材導電体２の電気的触媒６を介して、海水中で塩素ガスを実質的に発生させないで酸素を発生させるように、正極８ａと負極８ｂとの間に形成される通電回路の電位を制御するようになっている。外部直流電源８の正極８ａと負極８ｂとの間に形成される通電回路の電位値としては、標準海水で塩素ガスを発生させる塩素発生電位（ＳＣＥ）の約１．１３Ｖよりも低く、かつ標準海水で酸素を発生させる酸素発生電位の約０．５２Ｖよりも高い値が用いられる。
【００４３】
また、外部直流電源８の正極８ａと負極８ｂとの間に形成される通電回路の具体的な電流値としては、電気的触媒６の種類によって若干の違いがあるが、通常０．３〜３．０Ａ／ｍ２程度の電流値が用いられる。なお、照合電極８ｃの電位値は海水の電位により自動電位制御部８ｄを校正するために用いられる。
【００４４】
このように、海生物の付着防止装置１によれば、陽極部材導電体２を水路または水槽３５の海水３０側壁面の前面に設置し、陰極側導電体３を海水３０に接触するように設置し、所定の条件で陽極部材導電体２と陰極側導電体３との間に電流を流すことにより、水路または水槽３５の海水側前面において酸素を発生させて、水路または水槽３５の海水側表面への海生物の付着を防止することができる。
【００４５】
また、海生物の付着防止装置１においては、構造物（水路または水槽）３５に設置される陽極部材導電体２と陰極側導電体３のうちの少なくとも１種の導電体は水路および水槽３５に対して上部より挿入・取出しが可能な可動部を出し入れ自在に有する可動式構造となっている。例えば、図１の陽極部材導電体２は、上部より水路や水槽３５内に挿入され、再び上部より取出せるような可動式導電体挿脱構造になっている。図１では、この可動式の陽極部材導電体２が所定位置に確実に挿入されて設置されるように、水路・水槽３５の壁面から陽極部材導電体２のスペース分の距離をおいて水路・水槽３５の底面部に支持体７が設けられている。このような支持体７に代えて、あるいは支持体７と併用して、水路等３５の上部から陽極部材導電体２の挿入（据付け），取り外しが容易にできる取付具等を用いて所定箇所に陽極部材導電体２を設置してもよい。
【００４６】
さらに、海生物の付着防止装置は、図１に示すように、海生物の付着防止装置１に陽極部材導電体２に流れる電流を監視する電流監視装置９と、この電流監視装置９からの監視結果に基づき陽極部材導電体２の耐用状態を判定する判定装置１１を備える。
【００４７】
例えば、図１に示すように、外部直流電源８の各正極８ａには、電流監視装置９が接続されており、各陽極部材導電体要素２ａ、２ｂに流れる電流をそれぞれ監視することができるようになっている。さらに、電流監視装置９には、判定装置１１が接続されており、電流監視装置９からの出力データ（各陽極部材導電体要素２ａ、２ｂに流れる電流の積算電流値または電流値の変化）に基づいて、各陽極部材導電体要素２ａ、２ｂの耐用状態（健全性および性能劣化等）を判定することができるようになっている。
【００４８】
判定装置１１は、電流監視装置９で監視された電流値の変化を各陽極部材導電体要素２ａ、２ｂ間で相対的に比較して、その比較結果を考慮しつつ各陽極部材導電体要素２ａ、２ｂごとの電流値の変化に基づいて各陽極部材導電体要素２ａ、２ｂの耐用状態を判定する。判定装置１１での判定結果は外部直流電源８に出力され、外部直流電源８から各陽極部材導電体要素２ａ、２ｂへの電流供給の遮断等が行われる。
【００４９】
また、前記電流値ないし積算電流値の変化が監視された場合に、水中監視カメラにより海生物の付着防止装置１の設置状態にて、また水抜き作業を行うことなく、目視確認を行い、状況により付着防止装置１の回収操作を実施する。
【００５０】
このように、本発明に係る海生物の付着防止装置の実施形態によれば、陽極部材導電体２と電気的触媒６の電位が外部直流電源８により酸素発生電位（約０．５２Ｖ）以上で塩素発生電位（約１．１３Ｖ）以下の範囲に保持される。これにより電気的触媒６の表面から塩素の発生が抑制されながら酸素が発生する。これにより、海生物の構造物（水路または水槽）３５への付着を積極的かつ有効的に防止することができる。
【００５１】
また、陽極部材導電体２や陰極側導電体３を可動式の構造とすることにより、常時水没する箇所への設置が可能となる。海からの取水の場合、取水口付近や、その取水路に至っては、建設初期でない限り、海水を排水することが不可能な箇所が多く、このような場所の海生物付着は当然とみなされている。従来は、その海生物付着分の水路圧力損失を考慮した取水ポンプの設計およびシステム設計を行ってきており、また場合により、塩素注入等の方法を採用している。
【００５２】
これに対し、本発明の海生物の付着防止装置１は、上記のような場所においても設置が可能であり、システム設計への海生物の影響の軽減や環境改善に寄与する。
【００５３】
また従来は、構造物に付着していた海生物が系統内へ流入し、機器へ悪影響を及ぼすこともあったが、本発明の海生物の付着防止装置１の設置により、構造物３５への海生物付着を防止できるので、プラント系統内への海生物の流入も軽減でき、機器の健全性の向上を図ることが可能となる。
【００５４】
図３は本発明に係る海生物の付着防止装置の第２実施形態を示すものであり、この実施形態では、陽極部材導電体２と陰極側導電体３は、絶縁材１２を介して一体構造とし、水路等の構造部材３５の側壁に取り付けたものである。例えば、図３に示すように、絶縁材１２を湾曲自在な可撓性ベースとし、陽極部材導電体２と陰極側導電体３を接触させないようにベース（絶縁材）１２に設置し、一体構造に構成したものである。
【００５５】
この一体構造は、水路等３５の上部より挿入・取出しが可能な可動式挿脱構造を有し、水路等３５の海水側前面に設置される。
【００５６】
このような一体構造とすることにより、陽極部材導電体２と陰極側導電体３の水路等３５に対しての挿入・取出し等の作業やメンテナンス作業の作業性も向上する。
【００５７】
この海生物の付着防止装置１は、水路３５に対して挿入・取出しが可能な可動式の陽極部材導電体２または陰極側導電体３が、曲線形状に変形可能な構造を有するのものである。
【００５８】
例えば、ゴムシート状やロールカーテン状の可撓性構造を有する陽極部材導電体、陰極側導電体、または上述のような陽極部材導電体と陰極側導電体との一体構造の導電体である。
【００５９】
図４に、ロールカーテン状の陽極部材導電体１３を示す。このように曲線形状あるいは湾曲形状が可能な可動部を有することにより、水路３５への陽極部材導電体１３等の挿入・引出し作業が容易になる。また、これら可動式構造物はロール状に巻き取って保管することができるので、保管形状がコンパクトになり、可動式構造物を回収する回収装置の小型化が図られ、周辺スペースの有効活用が可能となる。なお、図４中の符号１４は、可動式陽極部材導電体１３等の可動部の先端側に付けられた錘（おもり）である。陽極部材導電体１３の可動部に錘を付けることにより、水路３５への陽極部材導電体１３等の可動式構造物の挿入がスムーズになり、また設置位置に確実に固定される。
【００６０】
図５は本発明に係る海生物の付着防止装置の第４実施形態を示すものである。この実施形態は海生物の付着防止装置１において、可動式陽極部材導電体１５や可動式陰極側導電体３が曲線形状に変形可能な構造のもの、あるいは形状に自由度を持つ構造のものである。例えば、可動式陽極部材導電体１５あるいは陰極側導電体３は複数の部材が組み合わされて形状変形が可能となった構造物である。具体的には、シャッター状の構造（第４実施形態）や格子状の構造を有する構成としてもよい。陽極部材導電体１５あるいは陰極側導電体３または陽極部材導電体１５および陰極側導電体３とは湾曲変形可能な一体構造をなす導電体として構成される。
【００６１】
図５は、陽極部材導電体１５がシャッター状あるいは蛇膜状の陽極部材導電体１５となっており、曲線形状あるいは湾曲形状に変形可能な構造を有する。この陽極部材導電体１５の可動部先端側（自由端側）に錘１４が設けられている。
【００６２】
図６は本発明に係る海生物の付着防止装置の第５実施形態を示すものである。この付着防止装置は陽極部材導電体１６が格子状の陽極部材導電体１６であり、形状に自由度を持つ構造物となっている。この陽極部材導電体１６の可動部に錘１４が設けられている。
【００６３】
これら第４および第５実施形態においても、第３実施形態と同様な効果を有している。即ち、水路３５への陽極部材導電体等の可動式（可撓式）変形可能構造物の挿入・引出し作業が容易になり、また、可動式変形可能構造物の保管形状がコンパクトになることから、後述するように可動式変形可能構造物を回収する回収装置等の小型化が図られ、周辺スペースの有効活用が可能となる。
【００６４】
本発明に係る海生物の付着防止装置の第６実施形態は、海生物の付着防止装置１において、可動式の変形可能陽極部材導電体２や陰極側導電体３を含む構造物の下部に錘１４を有したり、または可動式変形可能構造物自体が錘の役目を果すように構成されているものである。これにより、水路３５への可動式変形可能構造物の挿入が容易になり、また、可動式構造物を設置位置に確実に固定することができる。例えば、図４、図５、図６および図１０に示すように、陽極部材導電体１３、１５、１６のような各種の陽極部材導電体に錘１４を設けることができる。また、図１、図３、図７、図８および図９に示される各種の陽極部材導電体のように、陽極部材導電体の可動式構造物自体が錘の役目を果すように構成される。
【００６５】
本発明に係る海生物の付着防止装置の第７実施形態は、海生物の付着防止装置１において、陽極部材導電体２や陰極側導電体３からなる可動式変形可能構造物が水路３５に対して挿入・取出し等がし易いように、可動式変形可能構造物のためのガイド１７，１８が備えられている。ガイドは、可動式変形可能構造物を水路３５の壁面の設置箇所に導くためのガイド１７であり、また可動式変形可能構造物を水路３５の底面部に滑らかに移動させるためのスロープが付いたスロープ付ガイド１８としてもよい。
【００６６】
例えば、図７に示すように、陽極部材導電体２の両側に水路３５の壁面の設置箇所に導くためのガイド１７、あるいは図８に示すように、例えば、ロールカーテン状の陽極部材導電体１３を水路３５の底面部に滑らかに導くためのスロープ付ガイド１８とすることができる。
【００６７】
また、本発明の海生物の付着防止装置１の陽極部材導電体２，１３、陰極側導電体３の可動部に対し、錘１４を取り付けたり、また、可動式の陽極部材導電体２，１３や陰極側導電体をその自重で設置できるような重量とすることにより、さらにガイド１７、スロープ付ガイド１８を設置することにより、確実な場所へ可動部を取り付けることが可能となる。従来技術では取付不可能な水没しているような箇所においても付着防止装置１の設置が可能となる。
【００６８】
ガイド１７やスロープ付ガイド１８を有することでより正確な場所への挿入が可能であり、設置後も安定して固定され健全性が向上する。また、スロープ付ガイド１８においては、錘１４のみでは不可能な箇所や、水路・水槽の底面に対しても、本発明の海生物の付着防止装置１を設置可能にする。
【００６９】
可動式の陽極部材導電体２，１３や陰極側導電体３の可動部をゴムシート状、ロールカーテン状、シャッター状、格子状等の形状にすることにより、挿入・設置および取外し・回収が容易となる。また、可動式の陽極部材導電体２や陰極側導電体３の予備品を保有し早急な復旧を行う場合は、予備品が小型であることから、収納場所の小型化が可能となり、交換作業が容易になる。可動式の陽極部材導電体等の異常が確認された場合においても、装置の早急な取替が可能となる。
【００７０】
本発明に係る海生物の付着防止装置１を複数個設置する場合に、同型の可動部であれば、隣接する複数の付着防止装置１の可動部として、共用することが可能であり、予備も共用にして保有個数を少なくすることが可能となる。
【００７１】
本発明に係る海生物の付着防止装置の第８実施形態は、海生物の付着防止装置１において、陽極部材導電体２または陰極側導電体３等を含む可動式変形可能構造物を水路または水槽３５の壁面に引き付けるように壁面側を負圧とする負圧システム２１を備えている。
【００７２】
例えば、図９に示すように、負圧システム２１は、陽極部材導電体２の壁面側の周囲にゴム状シール等の弾性２３を貼り、吸引装置２２にて弾性シール２３で囲まれた内部の空気または海水を吸い込んで負圧とすることで、陽極部材導電体２を水路または水槽３５の壁面へ引き寄せ、その壁表面に貼り付けて固定させることが可能である。
【００７３】
図１０は本発明に係る海生物の付着防止装置の第９実施形態を示す。この実施形態に示された海生物の付着防止装置１は、可動式で変形可能な陽極部材導電体や陰極側導電体を巻き取り、または引抜いて、水路または水槽３５から回収する回収装置２４を備えている。
【００７４】
例えば、図１０に示す回収装置２４により、水路または水槽３５に設置されたロールカーテン状の陽極部材導電体１３を巻き取って引き上げ、回収することができる。また、同様に、図５および図６に示されるシャッター状の可動式構造物（陽極部材導電体）１５や格子状の可動式構造物（陽極部材導電体）１６を巻き取って、あるいは引抜いて折りたたむこと等により、また、図１、図３、図７に示すような陽極部材導電体２、１２を引抜いて回収することができる。
【００７５】
従来の海生物の付着防止の装置においては、水路に付着防止装置が固定されていることから、海生物の付着防止装置の清掃・点検・修理（メンテナンス）は、水抜きを行った場合のみ行われ、それ以外は実施不可能であった。これに対し、本発明に係る海生物の付着防止装置においては、回収装置により陽極部材導電体などの可動式変形可能構造物を回収できる構造とすることで、水路や水槽３５の水を抜くことなく、付着防止装置の清掃・点検・保守・取替え作業が可能となる。また、異常時においても可動式変形可能構造物を回収して、海生物の付着防止装置の健全性の確認作業が行える。
【００７６】
本発明に係る海生物の付着防止装置は、第９実施形態で示されるような回収装置２４を備えた海生物の付着防止装置１において、図１０のような回収装置２４により巻き取りまたは引抜いて、水路または水槽３５から回収された可動式変形可能造物を、回収装置２４内で洗浄するための洗浄システムを備えてもよい。
【００７７】
この可動式変形可能構造物の洗浄は、例えば、ジェット洗浄や、ブラシのような洗浄具による洗浄等によって行われる。このように、回収装置２４内で可動式変形可能構造物を洗浄することにより、清掃作業の効率化、洗浄水の削減、および洗浄水の飛散防止が図れる。
【００７８】
また、コンパクトに回収した可動部を回収装置２４内にて洗浄可能なシステムを有することにより、洗浄水・洗浄剤の飛散防止とその使用量の削減が可能であり、また洗浄水等の飛散がないので周辺清掃も不要となる。回収装置２４内に洗浄システムを有することにより、洗浄のための装置の搬出入が不要となることから、搬出入用冶具や作業が削減される。これら洗浄作業を自動で行うようにすれば、従来時間のかかっていた清掃作業を大幅な簡素化が可能となる。また可動部は洗浄後も小型化形状となっているので、そのまま取出して、予備品との取替え作業も容易になる。
【００７９】
また、海生物の付着防止装置の第１０実施形態は、回収装置２４を備えた海生物の付着防止装置１において、回収装置２４により回収された陽極部材導電体２や陰極側導電体３からなる可動式構造物は、カートリッジタイプ２５としてワンタッチで取り外し可能な構造を備えてもよい。
【００８０】
例えば、図１１に示すように、回収装置２４により巻き取られて回収された陽極部材導電体（または陰極側導電体）２５は、カートリッジ式の陽極部材導電体（または陰極側導電体）２５として、取り外される。このように、陽極部材導電体２や陰極側導電体３からなる可動式構造物をカートリッジタイプとし、予備のカートリッジタイプの可動式構造物と交換することにより早急に復旧される。
【００８１】
回収装置２４は独立した単独の装置として切り離すことが可能な構造とすることで、常時設置しておく必要性がないことから、回収装置２４の設置スペースの有効活用が図れ、共用によるコスト削減、また回収装置２４の予備を持つことにより、回収装置の故障時の早期対応が可能となる。
【００８２】
さらに海生物の付着防止装置は、図１０および図１１に示されるような回収装置２４を備えた海生物の付着防止装置１において、陽極部材導電体２や陰極側導電体３からなる可動式変形可能構造物を回収する回収装置２４を、着脱可能な構造とし、他の箇所に設置されている海生物の付着防止装置１の可動式構造物を回収する回収装置２４として共用される構造としてもよい。
【００８３】
また、海生物の付着防止装置は、海生物の付着防止装置１において、図１１に示すように、水路または水槽３５内を監視するための水中監視カメラ２６を備えてもよい。
【００８４】
水中監視カメラ２６が設置されている場合、陽極部材導電体２における酸素発生を阻害する障害の発見や、異常を目視にて確認することが可能である。その結果、水中監視カメラ２６と回収装置２４との併用により、陽極部材導電体２を早期に回収し、トラブルの未然防止および早期発見が可能となる。また、可動部が動作中の状況も目視で確認できることにより、安全を確認しながら作業を実施することができる。
【００８５】
広範な構造物に対しては、装置自体は回収作業等も考慮するとコンパクト性が必要であることから、本発明に係る海生物の付着防止装置を複数個並列に設置し運用することにより、より海生物付着防止の効果を発揮し、メンテナンス性が向上する。
【００８６】
水中監視カメラ２６を設置することにより、陽極部材導電体２での酸素発生状況や、可動式変形可能構造部の設置状況の確認を行って付着防止装置の健全性の向上を図ることができる。また、海水を漂う異物や藻類の付着の有無も監視することができる。
【００８７】
本発明に係る海生物の付着防止装置の監視においては、前記電流値ないし積算電流値の変化を監視することにより、陽極部材導電体２の性能劣化や、酸素発生に係わる異常を監視することが可能となる。
【００８８】
本発明に係る海生物の付着防止装置１の運用（取扱い）方法は、水路および水槽３５に対して挿入・取出しが可能な可動部を有する陽極部材導電体２（１３，１６）または陰極側導電体３からなる可動式導電体を自動または手動にて水路または水槽３５内に挿入し、挿入した可動式導電体と、この導電体２（１３，１６）とは異なる極の導電体３との間に電流を流すことにより、陽極部材導電体２（１３，１６）の有する電気化学的に活性な電気的触媒６を介して、海水中に塩素の発生を抑制しつつ酸素を発生させて、海水に接する構造物（水路および水槽）３５への海生物の付着を防止する。付着防止装置１の使用後には可動式導電体を自動または手動で水路または水槽３５内から回収することができる。
【００８９】
この運用（取扱い）方法においては、回収した可動式導電体を洗浄後、水路または水槽３５に挿入して再び海生物の付着防止に用いたり、洗浄後（または未洗浄で）取り外し、新たな可動式導電体と交換して海生物の付着防止装置１の運用が行われる。
【００９０】
このような運用方法においては、陽極部材導電体２（１３，１６）や陰極側導電体３を回収し、また洗浄を行うことにより、従来技術のように水抜きを行い水路内および水槽３５内へ作業員が入り、長距離に渡って清掃・点検することなく、容易にメンテナンスが可能となり、作業環境の改善および作業工数の短縮に大きく寄与することとなる。
【００９１】
また、電流監視装置９や判定装置１１、水中監視カメラ２６による監視方法を採用し運用することにより、従来において監視していなかった水路および水槽３５内の健全性、および本発明の付着防止装置１の健全性が常時監視でき、電流監視装置９や判定装置１１にて変化があった場合に、即座に原因究明および修理対応が可能となる。この場合に回収を同時に行うことにより、水路の状態に係わらず、調査を行うことが可能となり、より迅速な調査・修理対応が可能となる。
【００９２】
さらに、本発明に係る海生物の付着防止装置１を水路または水槽３５内に複数個並列に設けたり、また、各海生物の付着防止装置１の回収装置２４が単独に取り外され、各海生物の付着防止装置１の可動部も回収されるように運用することもできる。
【００９３】
これにより、構造物の広範な箇所に対し海生物の付着防止が図れ、また、回収装置２４や可動部を常時設置しておく必要がないため、回収装置２４等の設置スペースの有効活用や、回収装置２４および可動部の共用によるコスト削減、さらに予備品を持つことによる故障時等の早期対応が可能となる。
【００９４】
【発明の効果】
本発明によれば、広範な面積を有する構造物や、常時水没する箇所の構造物に対する取付が可能であり、取付施工が容易な海水に接する構造物への海生物の付着防止装置およびこの運用方法を提供することができる。
【００９５】
また、本発明に係る海生物の付着防止装置およびこの運用方法は、付着防止装置設置後に水路および水槽内に設置された可動部を回収できる回収装置を備えることにより、点検・保守・清掃が容易に、かつ水抜きを行うことなく実施されるので、付着防止装置の健全性およびメンテナンス性の向上、作業工数の削減が可能となる。
【００９６】
さらに、本発明に係る海生物の付着防止装置およびこの運用方法によれは、電流および積算電流による監視装置およびその監視結果の判定装置、また水中監視カメラ等の監視システムを備えることにより、広範な箇所の健全性を容易にかつ迅速に確認し、即座に点検・修理を行うことが可能となる。
【図面の簡単な説明】
【図１】本発明に係る海生物の付着防止装置の第１実施形態を示す概略図。
【図２】図１に示す海生物の付着防止装置における陽極部材導電体の概略図。
【図３】本発明に係る海生物の付着防止装置の第２実施形態を示す概略図。
【図４】本発明に係る海生物の付着防止装置の第３実施形態を示す概略図。
【図５】本発明に係る海生物の付着防止装置の第４実施形態を示す概略図。
【図６】本発明に係る海生物の付着防止装置の第５および第６実施形態を示す概略図。
【図７】本発明に係る海生物の付着防止装置の第６および第７実施形態を示す概略図。
【図８】本発明に係る海生物の付着防止装置の第７実施形態を示す概略図。
【図９】本発明に係る海生物の付着防止装置の第８実施形態を示す概略図。
【図１０】本発明に係る海生物の付着防止装置の第９実施形態を示す概略図。
【図１１】本発明に係る海生物の付着防止装置の第１０実施形態を示す概略図。
【符号の説明】
１  海生物の付着防止装置
２  陽極部材導電体（陽極部材）
２ａ、２ｂ  陽極部材導電体要素
３  陰極側導電体（陰極部材）
４  照合電極
５  陽極形成部材
６  電気的触媒
７  支持体
８  外部直流電源
８ａ  正極
８ｂ  負極
８ｃ  照合極
８ｄ  自動電位制御部
９  電流監視装置
１１  判定装置
１２  絶縁材
１３  ロールカーテン状の陽極部材導電体（陽極部材）
１４  錘
１５  シャッター状の陽極部材導電体（陽極部材）
１６  格子状の陽極部材導電体（陽極部材）
１７  ガイド
１８  スロープ付ガイド
２１  負圧システム
２２  吸引装置
２３  ゴム状シール
２４  回収装置
２５  カートリッジ式陽極部材導電体（または陰極側導電体）
２６  水中監視カメラ
３０  海水
３５  水路または水槽（絶縁体）
【図１】
0003826012.tif 000002
【図２】
0003826012.tif 000003
【図３】
0003826012.tif 000004
【図４】
0003826012.tif 000005
【図５】
0003826012.tif 000006
【図６】
0003826012.tif 000007
【図７】
0003826012.tif 000008
【図８】
0003826012.tif 000009
【図９】
0003826012.tif 000010
【図１０】
0003826012.tif 000011
【図１１】
0003826012.tif 000012